(57)【要約】  【課題】エンジン自動停止中にあっても前席用ブロアと後席用ブロアとをそれぞれ継続して作動させる場合に、ブロア作動による騒音の防止あるいは抑制と消費電力の低減とを行うことができ、かつ乗員の快適性を確保しつつエンジン自動停止している時間を極力長く確保する。  【解決手段】前席用熱交換器５（１０）の熱容量よりも、後席用熱交換器５Ｒ（１０Ｒ）の熱容量が小さく設定されている。エンジン自動停止時に、前席用ブロア４および後席用ブロア４Ｒをそれぞれ継続して作動させる一方、少なくとも後席用ブロア４Ｒの風量をエンジン自動停止直前の風量よりも低下させた状態としつつ、前席用ブロア４と後席用ブロア４Ｒとの各風量を、前席用熱交換器５（１０）の温度と後席用熱交換器５Ｒ（１０Ｒ）の温度とが略等しい状態でもって変化するように協調制御（例えばフィードバック制御）する。【選択図】  図１１
2016068732.tif 000002
【特許請求の範囲】
【請求項１】
前席用空調装置および該前席用空調装置とは別個独立した後席用空調装置を有し、あらかじめ設定された停止条件に基づいてエンジンを自動停止するようにした車両の制御装置であって、
前記前席用空調装置における前席用熱交換器と前記後席用空調装置における後席用熱交換器とがそれぞれ、エンジンを駆動源として流通される熱媒体が流れるようにされ、
前記前席用熱交換器の熱容量よりも、前記後席用熱交換器の熱容量が小さく設定されており、
エンジン自動停止時に、前記前席用空調装置における前席用ブロアおよび前記後席用空調装置における後席用ブロアをそれぞれ継続して作動させる一方、少なくとも該後席用空調装置における後席用ブロアの風量をエンジン自動停止直前の風量よりも低下させた状態としつつ、該前席用ブロアと該後席用ブロアとの各風量を、前記前席用熱交換器の温度と前記後席用熱交換器の温度とが略等しい状態でもって変化するように協調制御する、
ことを特徴とする車両の制御装置。
【請求項２】
請求項１において、
エンジン自動停止時に、前記前席用ブロアと前記後席用ブロアとの各風量がそれぞれ、エンジン自動停止直前の風量よりも低下される、ことを特徴とする車両の制御装置。
【請求項３】
請求項１または請求項２において、
エンジン自動停止時に、前記後席用ブロアの風量があらかじめ設定された下限値に維持される、ことを特徴とする車両の制御装置。
【請求項４】
請求項３において、
前記前席用熱交換器の温度を検出する前席用温度検出手段と、
前記後席用熱交換器の温度を検出する後席用温度検出手段と、
を備え、
エンジン自動停止時に、前記前席用温度検出手段で検出される温度が、前記後席用温度検出手段によって検出された温度となるように前記前席用ブロアの風量がフィードバック制御される、
ことを特徴とする車両の制御装置。
【請求項５】
請求項１ないし請求項４のいずれか１項において、
エンジンの自動再始動の条件として、前記前席用熱交換器の温度にかかわらず、前記後席用熱交換器の温度があらかじめ設定された所定の限界温度を超えたときとして設定されている、ことを特徴とする車両の制御装置。
【請求項６】
請求項１ないし請求項５のいずれか１項において、
前記前席用熱交換器および前記前席用ブロアがそれぞれ、インストルメントパネル内に配設され、
前記後席用熱交換器および前記後席用ブロアがそれぞれ、運転席と助手席との間に位置するセンターコンソール内に配設されている、
ことを特徴とする車両の制御装置。
【請求項７】
請求項１ないし請求項６のいずれか１項において、
車両が、前方から後方へ順次、運転席および助手席からなる第１列目シート、第２列目シート、第３列目シートを有し、
前記前席用空調装置の吹出口が、前記第１列目シートの前方に位置され、
前記後席用空調装置の吹出口が、前記第１列目シートの後部付近で前記第２列目シートの前方に位置されている、
ことを特徴とする車両の制御装置。
【発明の詳細な説明】
【技術分野】
【０００１】
本発明は、前席用空調装置および後席用空調装置を有すると共に、アイドルストップによるエンジン自動停止を行うようにした車両の制御装置に関するものである。
【背景技術】
【０００２】
車両用空調制御装置にあっては、コンプレッサ、コンデンサおよびエバポレータを含む冷風生成器と、エンジン冷却水を熱源とする温風生成器とを有して、冷風と温風との混合比率をエアミックスダンパによって変更して、所望温度の空調風を得るようにしている。そして、空調風は、ブロアファンによって車室内に送風されることになり、ブロアファンの回転数変更によって送風量が変更される。上記コンプレッサは、エンジンにより駆動され、また冷却水の循環を行うウオータポンプもエンジンにより駆動されるのが一般的である。したがって、エンジンが停止したときには、コンプレッサおよびウオータポンプが停止されるため、熱交換器としてのエバポレータやヒータコアには熱媒体が流通されない状態となる。
【０００３】
また、車両用空調制御装置にあっては、目標室内温度となるように実際の室内温度を自動制御するオートエアコンが主流となっている。空調の自動制御は、車室内の環境条件、車室外の環境条件、乗員による空調操作状態（特に目標室内温度の設定）を表すパラメータに応じて行われて、空調吹出温度、空調風の吹き出し口、空調風の吹出量等が自動設定されることになる。
【０００４】
一方、最近の車両では、燃費向上のために、車両停止時や停止直前の極低速時にエンジンを自動停止させるいわゆるアイドルストップを行うものが多くなっている。このアイドルストップは、あらかじめ設定された停止条件が成立しているを条件に実行され、この開始条件としては、例えば、車速が零であること（車両停止であること）、ブレーキ操作されていること、アクセル操作されていないこと、変速機がＤ位置にある等の全ての条件を満足するものとして設定されることが一般的である。
【０００５】
アイドルストップによるエンジン自動停止中にあっても、乗員の快適性確保の観点から、空調装置の動作を継続することが行われている。すなわち、エンジン自動停止されていても、エバポレータが所定の上限温度にまで上昇するまではその冷却機能を利用した空調制御を継続して行ない、ヒータコアが所定の下限温度にまで低下するまではその加温機能を利用した空調制御を継続して行うことがある。
【０００６】
一方、ワゴン車や大型のＳＵＶ車にあっては、３列シートと呼ばれるように、第１列となる運転席を含む前席となる第１列目シートの後方に、第２列目のシート、第２列目のシートの後方に配設される３列目のシートを有するものがある。この場合、空調のための車室内空間が大きくなるため、特許文献１には、前席となる第１列目シート用となる前席用空調装置の他に、前席用空調装置とは別個独立して後席用空調装置を設けることが行われている。
【０００７】
乗車人数が多くなると車室内の湿度が高くなる傾向にある。特許文献２には、乗車人数に応じて、アイドルストップを行っている時間を変更する一方、湿度センサにより検出される車室内湿度が高いときは、空調装置による除湿作用を行う機会を増大させて、フロントウインドガラスの曇り止めを図るものが開示されている。
【先行技術文献】
【特許文献】
【０００８】
【特許文献１】特開２０１０−７６５１６号公報
【特許文献２】特開２０１０−２８０３５４号公報
【発明の概要】
【発明が解決しようとする課題】
【０００９】
前述したように、互いに別個独立して構成された前席用空調装置と後席用空調装置との両方の空調装置を有する場合に、後席用空調装置における熱交換器の熱容量は、設置スペース等からの制約により、前席用熱交換器の熱容量よりも小さくせざるを得ないのが実情である。
【００１０】
一方、エンジン自動停止中であっても、前席用乗員への快適性確保と後席乗員への快適性確保とを共に確保すべく、前席用空調装置および後席用空調装置の両方の空調制御を継続して行うこと、つまり前席用ブロアと後席用ブロアとをそれぞれ継続して作動させることが考えられる。しかしながら、前後の各ブロアの風量を、エンジン自動停止直前と同じ風量とした場合には、エンジンが停止されていて乗員が音に敏感になっていることから、ブロア作動音を騒音として感じてしまう事態を生じやすいものとなり、またブロア作動による消費電力も大きくなってしまうことになる。
【００１１】
このため、騒音低下（消費電力低減）とエンジン自動停止中の空調制御を長く確保するという両方の観点から、ブロア風量を低下させることも考えられる。しかしながら、前席用および後席用のブロア風量を単に同じように低下させただけでは、後席用熱交換器の熱容量が前席用熱交換器の熱容量よりも小さいために、後席用熱交換器の温度状態が早期に適切な空調制御を行えない状況になってしまうことになり、後席用乗員への快適性を確保する上で問題となる。なお、後席用乗員への快適性確保のために、後席用熱交換器の温度が所定の限界温度を超えたときにエンジンを自動再始動することも考えられるが、この場合は、エンジン自動停止している時間が短くなってしまうことになる。
【００１２】
本発明は以上のような事情を勘案してなされたもので、その目的は、エンジン自動停止中にあっても前席用ブロアと後席用ブロアとをそれぞれ継続して作動させる場合に、ブロア作動による騒音の防止あるいは抑制と消費電力の低減とを行うことができ、かつ乗員の快適性を確保しつつエンジン自動停止している時間を極力長く確保できるようにした車両の制御装置を提供することにある。
【課題を解決するための手段】
【００１３】
前記目的を達成するため、本発明にあっては、エンジン自動停止時には、基本的に、前席用熱交換器記と後席用熱交換器記との熱容量の差を考慮して、少なくとも後席用ブロアの風量をエンジン自動停止直前の風量よりも低下させた状態でもって、両熱交換器が略同じ温度でもって変化するように、前後のブロアの風量を協調制御するようにしてある。具体的には、本発明にあっては次のような解決手法を採択してある。すなわち、請求項１に記載のように、
前席用空調装置および該前席用空調装置とは別個独立した後席用空調装置を有し、あらかじめ設定された停止条件に基づいてエンジンを自動停止するようにした車両の制御装置であって、
前記前席用空調装置における前席用熱交換器と前記後席用空調装置における後席用熱交換器とがそれぞれ、エンジンを駆動源として流通される熱媒体が流れるようにされ、
前記前席用熱交換器の熱容量よりも、前記後席用熱交換器の熱容量が小さく設定されており、
エンジン自動停止時に、前記前席用空調装置における前席用ブロアおよび前記後席用空調装置における後席用ブロアをそれぞれ継続して作動させる一方、少なくとも該後席用空調装置における後席用ブロアの風量をエンジン自動停止直前の風量よりも低下させた状態としつつ、該前席用ブロアと該後席用ブロアとの各風量を、前記前席用熱交換器の温度と前記後席用熱交換器の温度とが略等しい状態でもって変化するように協調制御する、
ようにしてある。
【００１４】
上記解決手法によれば、エンジン自動停止中にあっても、前後のブロアを作動させて空調制御を続行するので、基本的に乗員の快適性を確保する上で好ましいものとなる。また、エンジン自動停止中は、少なくとも後席用ブロアの風量がエンジン自動停止直前の風量に比して低下されるので、ブロア作動による騒音も防止あるいは抑制されることになる。勿論、ブロア風量の低下により消費電力も低下されることになる。以上に加えて、少なくとも後席用ブロアの風量を低下させるので、熱容量が小さくて早期に温度変化しやすい後席用熱交換器をより長い時間に亘って空調制御を続行するのに適した温度範囲に維持させて、エンジン自動停止している時間を長く確保することができる。さらに、前席用熱交換器の温度と後席用熱交換器の温度とが略等しい温度でもって変化するように協調制御することは、前席用熱交換器の熱容量が大きい分だけ前席用ブロアの風量を大きくして、余裕のある前席用熱交換器を有効に利用したより十分な空調状態が得られて、乗員の快適性をより十分に確保することができる。
【００１５】
上記解決手法を前提とした好ましい態様は、特許請求の範囲における請求項２以下に記載のとおりである。すなわち、
エンジン自動停止時に、前記前席用ブロアと前記後席用ブロアとの各風量がそれぞれ、エンジン自動停止直前の風量よりも低下される、ようにしてある（請求項２対応）。この場合、ブロア作動による騒音の防止あるいは抑制と諸費電力の低減とをより十分に行うことができる。
【００１６】
エンジン自動停止時に、前記後席用ブロアの風量があらかじめ設定された下限値に維持される、ようにしてある（請求項３対応）。この場合、後席乗員が不快感を感じない範囲でもって後席用ブロアの風量を極力低下させて、熱容量の小さい後席用熱交換器を利用した空調制御が可能な時間、つまりエンジン自動停止している時間を極力長い時間確保する上で好ましいものとなる。また、後席用ブロアの風量を低下させることは、その分前席用ブロアの風量も低下させることが可能になり、ブロア作動による騒音の防止あるいは抑制をより十分に行うと共に、消費電力をより低減の上で好ましいものとなる。
【００１７】
前記前席用熱交換器の温度を検出する前席用温度検出手段と、
前記後席用熱交換器の温度を検出する後席用温度検出手段と、
を備え、
エンジン自動停止時に、前記前席用温度検出手段で検出される温度が、前記後席用温度検出手段によって検出された温度となるように前記前席用ブロアの風量がフィードバック制御される、
ようにしてある（請求項４対応）。この場合、前席用熱交換器と後席用熱交換器とを略等しい温度でもって変化させる協調制御を精度よく行うことができ、請求項１に対応した効果を十分に発揮させる上で好ましいものとなる。
【００１８】
エンジンの自動再始動の条件として、前記前席用熱交換器の温度にかかわらず、前記後席用熱交換器の温度があらかじめ設定された所定の限界温度を超えたときとして設定されている、ようにしてある（請求項５対応）。この場合、熱容量が小さくて温度変化しやすい後席用熱交換器が、空調制御に適した温度範囲から逸脱する限界温度を超えたときにエンジン自動再始動を行うので、エンジン自動停止している時間を長く確保しつつも、後席乗員に対して空調制御に伴う不快感を与えてしまう事態を確実に防止する上で好ましいものとなる。
【００１９】
前記前席用熱交換器および前記前席用ブロアがそれぞれ、インストルメントパネル内に配設され、
前記後席用熱交換器および前記後席用ブロアがそれぞれ、運転席と助手席との間に位置するセンターコンソール内に配設されている、
ようにしてある（請求項６対応）。この場合、熱容量が大きくて大型となる前席用熱交換器を前席用ブロアと共に一般的に行われているインストルメントパネル内に配設しつつ、熱容量が小さくて小型となる後席用熱交換器を後席用ブロアと共にセンターコンソール内に配設して、車室内スペースを極力犠牲にしないようにする上で好ましいものとなる。
【００２０】
車両が、前方から後方へ順次、運転席および助手席からなる第１列目シート、第２列目シート、第３列目シートを有し、
前記前席用空調装置の吹出口が、前記第１列目シートの前方に位置され、
前記後席用空調装置の吹出口が、前記第１列目シートの後部付近で前記第２列目シートの前方に位置されている、
ようにしてある（請求項７対応）。この場合、後席となる第２列目シートと第３列目シートへ着座可能な乗員数が極めて多い車両であることから、請求項１に対応した効果を十分に発揮させる上で好ましいものとなる。
【発明の効果】
【００２１】
本発明によれば、エンジン自動停止中におけるブロア作動による騒音の防止あるいは抑制と消費電力の低下とを行いつつ、しかも乗員の快適性を確保しつつエンジン自動停止している時間を極力長く確保することができる。
【図面の簡単な説明】
【００２２】
【図１】本発明が適用された車両の簡略側面図。
【図２】本発明が適用された車両の簡略平面図。
【図３】空調システムの一例を示す系統図。
【図４】前席用空調装置における冷風生成器と温風生成器との一例を示す図。
【図５】前席用空調装置における空調の操作パネル部分の一例を示す図。
【図６】後席用空調装置における冷風生成器と温風生成器との一例を示す図。
【図７】後席用空調装置における空調の操作パネル部分の一例を示す図。
【図８】前席用空調装置における空調システムの制御系統例を示す図。
【図９】エンジン自動停止の制御系統例を示す図。
【図１０】後席用空調装置における空調システムの制御系統例を示す図。
【図１１】暖房時における本発明の制御例を示すタイムチャート。
【図１２】冷房時における本発明の制御例を示すタイムチャート。
【図１３】本発明の制御例を示すフローチャート。
【発明を実施するための形態】
【００２３】
図１、図２は、本発明が適用された車両Ｖの一例を示すもので、乗員が着座されるシートが、前方から後方へ順次、運転席および助手席からなる前席としての第１列目シートＳＴ１、後席としての第２列目シートＳＴ２、後席としての第３列目シートＳＴ３の３列シートとされている。図１、図２中、ＳＨはステアリングハンドル、ＤＰはインストルメントパネルである。また、フロントウインドガラスが符号ＦＧで示され、運転席と助手席との間のセンターコンソールが符号ＣＣで示される。
【００２４】
車両Ｖは、サイドドアとして、第１列目シートＳＴ１の左右側方にある左右の前サイドドアＳＤ１と、第２列目シートＳＴ２の左右側方にある後サイドドアＳＤ２とを有する。第３列目シートＳＴ３への乗り降りは、後サイドドアＳＤ２を利用して行われる。そして、車両Ｖは、その後壁部が、開閉されるバックドアＢＤにより構成されている。図２に示すように、第１列目シートＳＴ１は、運転席と助手席とで構成されて、２名が着座可能とされている。第２列目シートＳＴ２は、３人が着座可能とされている。第３列目シートＳＴ３は、２人が着座可能とされている。
【００２５】
各シート（のシートクッション）には、乗員が着座されたことを検出するための例えば感圧スイッチ等からなる乗員（着座）検出センサＪＳが配設されている。また、車両Ｖには、後サイドドアＳＤ２が開かれていることを検出するドアスイッチＤＳ１と、バックドアＢＤが開かれていることを検出するドアスイッチＤＳ２とが設けられている。
【００２６】
車両Ｖには、互いに別個独立した前席用空調装置Ｋと、後席用空調装置ＫＲとが設けられている。まず、図３を参照しつつ、前席用空調装置Ｋについて説明する。流入口１を有する通路部２には、その上流側（流入口１）から下流側に向かって順次、切換ダンパ３、ブロアファン４、エバポレータ５が配設されている。通路部２のうちエバポレータ５の下流側部分が、隔壁６によって互いに並列に２つの独立通路７、８に区画され、この独立通路７、８の下流側は互いに合流された共通室９とされている。
【００２７】
前記隔壁６には、２つの独立通路７、８に突出するようにして、ヒータコア１０が保持されている。独立通路７には、ヒータコア１０の直上流側においてエアミックスダンパ１１が配設されている。同様に、独立通路８には、ヒータコア１０の直上流側においてエアミックスダンパ１２が配設されている。通路部２には、前記共通室９よりも上流側の独立通路７に臨ませて運転席用のエア通路１３が開口されている。また、通路部２には、前記共通室９よりも上流側の独立通路８に臨ませて助手席用のエア通路１４が開口されている。さらに、共通室９に臨ませて、複数のエア通路１５〜１７が開口されている。エア通路１５は例えばデフロスタ用とされ、エア通路１６、１７は例えばサイドベント用とされている。各エア通路１３〜１７には、開度調整用のダンパ１３Ａ〜１７Ａが配設されている。
【００２８】
エアミックスダンパ１１の開度（位置）変更により、エバポレータ５を通過した冷却エアがヒータコア１０を経由する割合が変更されて、独立通路７を通過した直後のエアの温度および湿度が調整される。この独立通路７を通過した直後のエアが、運転席に供給されることになる。なお、エアミックスダンパ１１は、電気式のモータ（アクチュエータ）１１Ａによって駆動されて、開度０％〜１００％の範囲で任意の開度をとり得るようになっている。
【００２９】
エアミックスダンパ１２の開度（位置）変更により、エバポレータ５を通過した冷却エアがヒータコア１０を経由する割合が変更されて、独立通路８を通過した後のエアの温度および湿度が調整される。この独立通路８を通過した直後のエアが、助手席に供給されることになる。なお、エアミックスダンパ１２は、電気式のモータ（アクチュエータ）１２Ａによって駆動されて、開度０％〜１００％の範囲で任意の開度をとり得るようになっている。
【００３０】
前述の説明から明らかなように、実施形態では、運転席用と助手席用との空調が個別に制御可能となっている。そして、エアミックスダンパ１１、１２の開度を図中実線で示す１００％としたときに、運転席および助手席に対する空調温度がもっとも高くされる。逆に、エアミックスダンパ１１、１２の開度を図中破線で示す０％としたときに、運転席および助手席に対する空調温度がもっとも低くされる。なお、エア通路１５〜１７へは、独立通路７と８とを通過した空調エアが混合された混合エアが供給されることになる。
【００３１】
１８は、流入口１近傍に設けられた内気導入口であり、前述した切換ダンパ１により外気導入と内気循環とが切換えられる。
【００３２】
図４は、エバポレータ５に対する冷媒の循環経路と、ヒータコア１０に対するエンジン冷却水の循環経路を示すものである。この図４において、コンプレッサ５０の回転軸に取付けたプーリ５１と、エンジンＥＧ（のクランク軸）に取付けたプーリ５２との間にベルト５３が巻回されて、エンジンＥＧによってコンプレッサ５０が回転駆動される。コンプレッサ５０によって圧縮された冷媒が、配管５４、コンデンサ５５、配管５６を経てエバポレータ５に供給される。エバポレータ５に供給された冷媒は、空調風と熱交換された後に、配管５７を経てコンプレッサ５０に戻される。上記コンプレッサ５０、コンデンサ５５、エバポレータ５が、冷風生成器の主要構成要素となる。なお、プーリ５１にはクラッチ５１Ａが組み込まれて、エンジンＥＧが作動しているときでも、適宜コンプレッサ５０の駆動を停止可能とされている。
【００３３】
一方、エンジンＥＧによって駆動されるウオータポンプ６０からの冷却水は、配管６１を経てヒータコア１０に供給されて、ヒータコア１０によって空調風と熱交換される。そして、ヒータコア１０内の冷却水は、配管６２を経てウオータポンプ６０へ戻される。このウオータポンプ６０とヒータコア１０とが、温風生成器の主要構成要素となる。なお、図４では、簡略化のため、冷房に関連した膨張弁等の小物部品や冷却水の冷却に関連したラジエタ、バイパス通路、サーモスタット弁等は、図示を略してある。
【００３４】
図５は、乗員により操作される空調用パネル部ＫＰの一例を示すものであり、インストルメントパネルにセットされている。実施形態では、運転席と助手席とで左右独立して温度制御するものに対応しており、乗員により操作されるスイッチとして、次のように設定されている。
【００３５】
まず、スイッチ２１は、オートエアコンをＯＮするメインスイッチであり、プッシュ式とされている。スイッチ２２は、運転席の温度設定スイッチであり、ダイアル式とされている。スイッチ２３は、オートエアコンのＯＦＦスイッチであり、プッシュ式とされている。スイッチ２４は、風量調整用スイッチであり、ダイアル式とされている。スイッチ２５は、助手席用の温度を個別に選択する際に操作されるもので、プッシュ式とされている。スイッチ２６は、助手席用の温度調整用であり、ダイアル式とされている。
【００３６】
スイッチ３１は、エアコンをＯＦＦするスイッチである。スイッチ３２は、フロントデフロスタ作動用のスイッチである。スイッチ３３は、リアデフロスタ作動用スイッチである。スイッチ３４、３５は、空調風の吹出口選択用スイッチである。スイッチ３６は、外気導入選択用のスイッチである。スイッチ３７は、内気循環選択用のスイッチである。各スイッチ３１〜３７は、それぞれプッシュ式とされている。
【００３７】
後席用空調装置ＫＲは、その構成は前席用空調装置Ｋと基本的に共通であるので、前席用空調装置Ｋに対応した構成要素には、前席用空調装置Ｋについて用いた符号に「Ｒ」の符号を付してその重複した説明は省略する。すなわち、通路部が符号２Ｒで示され、ブロアが符号４Ｒとして示され、エバポレータが符号５Ｒで示され、共通室が符号９Ｒで示され、ヒータコアが符号１０Ｒで示され、エアミックスダンパが符号１２Ｒで示される。
【００３８】
後席用空調装置ＫＲについて、前席用空調装置Ｋと相違する部分は、次のとおりである。まず、内気のみが流入されるようになっている（外気導入はなし）。また、吹出口は、第２列目シートＳＴ２に着座する乗員に対して、足下用の吹出口１８Ｒと、顔用の吹出口１９Ｒとを有するのみとなっており、その切換用のリアモードダンパが符号２０Ｒで示される。
【００３９】
後席用空調装置ＫＲ用のエバポレータ５Ｒ、ヒータコア１０Ｒは、前席用空調装置Ｋにおけるものよりも小容量（小型）とされている。後席用空調装置ＫＲ用のエバポレータ５Ｒは、図５においては図示を略すが、前席用空調装置Ｋ用のエバポレータ５と直列あるいは並列に配管５７に接続されている。同様に、後席用空調装置ＫＲ用のヒータコア１０Ｒは、図５においては図示を略すが、前席用空調装置Ｋ用のヒータコア１０と直列あるいは並列に配管６２に接続されている。なお、後席用空調装置ＫＲ用のエバポレータ５Ｒ用に、別途コンプレッサ５０、コンデンサ５５を設けるようにしてもよく、またヒータコア１０Ｒ用に、別途エンジン冷却水配管を設けるようにしてもよい。
【００４０】
図１、図２に示すように、上述した前席用空調装置Ｋ（のエバポレータ５、ヒータコア１０）は、インストルメントパネルＤＰ内に装備され、後席用空調装置ＫＲ（のエバポレータ５Ｒ、ヒータコア１０Ｒ）は、センターコンソールＣＣ内に装備されている。そして、後席用空調装置ＫＲの吹出口１８Ｒ、１９Ｒは、センターコンソールＣＣの後端部に位置されている（第１列目シートＳＴ１の後部付近で第２列目シートＳＴ２の前方に位置されている）。
【００４１】
図７は、後席用の空調用パネル部ＫＰＲの一例を示すものであり、センターコンソールＣＣの後部に配設されている。実施形態では、乗員により操作されるスイッチとして、次のように設定されている。まず、スイッチ２１Ｒは、後席用空調装置ＫＲをＯＮするメインスイッチであり、プッシュ式とされている。スイッチ２２Ｒは、温度設定スイッチであり、ダイアル式とされている。スイッチ２３Ｒは、オートエアコンのオンスイッチであり、プッシュ式とされている。スイッチ２４Ｒは、風量変更スイッチであり、ダイアル式とされている。スイッチ３１Ｒは、エアコンをＯＦＦするスイッチであり、プッシュ式とされている。スイッチ３４Ｒは、空調風の吹出口選択用スイッチであり、プッシュ式とされている（プッシュする毎に吹出口が変更）。
【００４２】
図８は、前席用の空調システムＫの制御系統例を示すものである。この図８中、ＵＫは、マイクロコンピュータを利用して構成された空調システム用のコントローラ（制御ユニット）である。このコントローラＵＫには、前述した各種スイッチからの信号が入力される他、温度センサＳ０で検出されたヒータコア１０の温度、外気温センサＳ１で検出された外気温度、内気温センサＳ２で検出された室内温度、日射センサＳ３で検出された車室内への日射状態、温度センサＳ４で検出されたエバポレータ８の温度に関する信号、エアミックスダンパ１１、１２の実際の開度を検出する開度センサ１１Ｂ、１２Ｂからの信号が入力される。また、コントローラＵＫは、前述した各ダンパ等の機器類１、４、１１（１１Ａ）、１２（１２Ａ）、１３Ａ〜１７Ａ、１８の他、エンジンと冷媒圧縮用コンプレッサとの動力伝達経路に介在されたコンプレッサクラッチ５１Ａ（図４をも参照）を制御するようになっている。コントローラＵＫと、上記センサ、スイッチ、機器類とは、低速通信系でもって接続されている。
【００４３】
コントローラＵＫは、基本的に、各種センサＳ０〜Ｓ４で検出される車内外の環境条件と乗員によるスイッチ操作状態に応じて、目標室内温度を設定すると共に、実際の室内温度が目標室内温度にするのに最適な空調風吹出量、空調エア温度、空調風の吹出口の選択等を自動制御する。
【００４４】
上記コントロールユニットＵＫは、後席用空調装置ＫＲ用のコントロールユニットＵＫＲと接続されており。このコントロールユニットＵＫＲの制御系等例が図１０に示される。図１０において、図８に示すものに対応したセンサや機器類については、図８で示す符号に「Ｒ」の符号を付加することにより、その重複した説明は省略する。
【００４５】
図８に示す低速通信系となるコントローラＵＫは、インストルメントパネルに設けたメータを介して、高速通信系（ＣＡＮ）に対して接続されている。この高速通信系には、エンジン自動停止と自動再始動を含むエンジン制御を行うＰＣＭ、自動変速機の変速制御等を行うＴＣＭ、エンジン自動停止時の自動ブレーキ制御を含むブレーキ制御を行うＤＳＣ、ドアの開閉状態の検出を含む車体回りの制御を行うＢＣＭ、キーの車内置き忘れの検出を含むスマートキーレスに関する制御を行うキーレスコントロールモジュール（ＳＫＥで表示）、パワーステアリング制御を行うＥＨＰＡＳが含まれる。コントローラＵＫには、ＰＣＭからアイドリングストップ状態に関する情報が入力される一方、コントローラＵＫからＰＣＭに対して、後述するように、空調制御状態に応じてアイドリングストップの許可信号または禁止信号を出力するようになっている。また、ＤＳＣには車速センサＳ１０が接続されており、車速センサＳ１０で検出された車速信号は、ＣＡＮを経由してコントローラＵＫおよびＰＣＭに入力される。
【００４６】
上記ＢＣＭには、図１に示す各スイッチＪＳ、ＤＳ１、ＤＳ２からの信号が入力されるようになっている。このドアスイッチＤＳ１、ＤＳ２による検出信号に基づいて、後サイドドアＳＤ１あるいはバックドアＢＤが荷物の積み降ろし等で所定時間以上開いていたときは、後席の空調が大きく乱れている一方、このことは乗員が十分に承知していることから、後席用空調装置ＫＲに対する空調要請は低いものであると考えられる。したがって、この場合は、後席用空調装置ＫＲの空調制御状態に応じたアイドルストップ禁止信号を出力しないようにするようになっている。なお、この点は本発明とは直接関係がないので、これ以上の説明は省略する。
【００４７】
図９は、アイドリングストップに関する制御を行うＰＣＭに関する詳細な制御系統例を示すものである。この図９において、ＰＣＭには、各種センサあるいはスイッチＳ１０〜Ｓ１９からの信号が入力される。センサＳ１１は、アクセル開度を検出するアクセルセンサである。センサＳ１２は、スロットル開度を検出するスロットルセンサである。センサＳ１３は、クランクシャフトの回転角度位置を検出する角度センサである。センサＳ１４は、吸気温度を検出する吸気温センサである。センサＳ１４は、冷却水温を検出する水温センサである。センサＳ１６は、負圧式倍力装置を有するブレーキ装置における負圧を検出する負圧センサである。スイッチＳ１７は、ブレーキペダルが踏み込み操作されていることを検出するブレーキスイッチであり（ストップライトスイッチと兼用）。センサＳ１８は、自動変速機のレンジ位置を検出するレンジ位置センサである。Ｓ１９は、バッテリの充電量、電圧、消費電流等を総合的に検出するバッテリセンサである。
【００４８】
ＰＣＭは、エンジンの自動停止（アイドルストップ）と自動再始動の制御に関連して、次のような各種機器類４１〜４７を制御するようになっている。すなわち、４１は、スロットルバルブを駆動するアクチュエータであり、エンジン自動停止時に全閉とされる。４２は、電動式の可変バルブタイミング装置における駆動モータであり、エンジン自動停止時に、自動再始動に備えて吸気弁の開閉タイミングを遅らせる。４３は、燃料噴射弁であり、エンジン自動停止の際に燃料噴射がカットされる。４４はイグニッションコイルであり、エンジン自動停止時には通電が停止されて点火が禁止される。４５はスタータモータであり、エンジン自動再始動時に駆動される。４６は、オルタネータであり、エンジン自動停止時に、オルタネータの負荷を上げることによりエンジン回転数を下げる。４７は、ＤＣ／ＤＣコンバータであり、エンジン自動再始動時のためにクランキングを行う際に、バッテリの電力低下を補うように制御される。
【００４９】
車両停止時にエンジンを自動停止するアイドルストップが行われるが、これは、後述するアイドルストップ禁止条件の１つでも成立していないことを条件に実行される。より具体的には、アイドルストップの実行条件が、例えば車速が０でかつブレーキペダルが踏み込み操作されているときとして設定されて、この実行条件が成立しており、かつ後述する禁止条件が成立していないときに、アイドルストップによるエンジン自動停止が行われることになる）。
【００５０】
自動停止禁止条件（アイドルストップ禁止条件）
（１）車速が０でないとき。
（２）乗員によるブレーキ操作が行われていないとき。
（３）アクセルペダルが踏み込み操作されているとき。
（４）バッテリに関連して、電圧が所定電圧以下の低電圧のとき、充電量があらかじめ設定された所定充電量以下のとき、消費電流があらかじめ設定された所定電流以上のとき、あるいはバッテリ制御システムが異常のとき（異常信号発生のとき）。
（５）ハンドル舵角がニュートラル位置から所定の小舵角範囲内にないとき。
（６）変速機に関連して、変速機がＤレンジ位置にないとき、油温が所定温度範囲内にないとき、油圧が所定圧力範囲内にないとき、変速機異常信号が発生されているとき、クラッチ（ロックアップクラッチを含む）に異常があるとき。
（７）エンジンに関連して、冷却水温度が所定温度範囲にないとき、吸気温度が高すぎるとき、大気圧が低いとき。
（８）負圧式倍力装置を含むブレーキ装置でのブレーキ負圧が不足するとき、あるいはエンジンシステムの異常信号が発生されたとき。
（９）車体回りに関連して、イグニッションキーが車外に持ち出されているとき（スマートキーレスエントリーシステムの場合）、シートベルトが取外されているとき、いずれかのドアが開いているとき、あるいはボンネットが開いているとき。
（１０）路面の傾斜角度が大きいとき。
（１１）空調用コントローラＵＫから自動停止禁止信号が出力されているとき。この点については、後に詳述する。
【００５１】
上述の自動停止禁止条件はあくまで一例を示すものであり、その他の禁止条件を付加してもよい。例えば、エンジン自動停止を運転者の意思によってキャンセル（禁止）するＩＳスイッチ（図示略）がＯＮされているとき、エンジン回転数があらかじめ設定された回転数（安定したときのアイドル回転数よりもかなり高い回転数）以上の高回転であるととき、等の条件をさらに追加してもよい。逆に、上記禁止条件の一部を削除した設定とすることもできる。
【００５２】
エンジンを自動停止しているアイドルストップ状態からエンジンを自動再始動する自動再始動開始条件としては、上記自動停止禁止条件のいずれか１つが解除されたときとして設定することができるが、特に、少なくとも乗員によるブレーキ操作が解除されたときを自動再始動の条件として設定するのが好ましい。
【００５３】
次に、空調システムＫ（ＫＲについても基本的に同じ）に関連した自動停止禁止条件について説明する。まず、空調の自動制御は、内気温センサＳ２で検出される実際の室内温度が、乗員により選択された温度調整ダイアル２２、２６に基づいて設定される目標室内温度に近づくように制御される。この空調自動制御に際しては、空調風の温度、吹出口の選択、空調風吹出量等が自動制御されることになる。
【００５４】
空調用のコントローラＵＫは、次の場合に、空調を優先すべく、車両停止時におけるエンジンの自動停止を禁止する禁止信号を出力する。なお、空調用コントローラＵＫは、自動停止禁止信号を出力しないときは、自動停止許可信号を出力する。
【００５５】
空調システム側からの自動停止禁止条件
（１）空調システムＫにおける各種センサ等の異常が発生したとき。
（２）外気温度が、極めて高いとき（例えば４０度Ｃ以上）、または極めて低いとき（例えば−１０度Ｃ以下）。
（３）デフロスタを使用しているとき（視界確保を優先）。
（４）乗員により選択された室内温度が、高温側の上限値であるとき（暖房要求が極めて強いとき）。
（５）乗員により選択された室内温度が、低温側の下限値でありかつエアコン作動されているとき（冷房要求が極めて強いとき）。
（６）目標室内温度と実際の室内温度との偏差が所定値よりも大きいとき。
【００５６】
空調用コントローラＵＫは、上記自動停止禁止条件が成立しないときは、エンジン自動停止時であっても、空調制御を行う。このことは、後席用の空調用コントローラＵＫＲにおいても同じである。
【００５７】
ここで、アイドルストップによるエンジン自動停止中は、基本的に、前席用空調装置Ｋおよび後席用空調装置ＫＲ共に、その動作を継続して行うようになっている。ただし、実施形態では、冷房中での上記動作継続中に、後席用エバポレータ５Ｒの温度があらかじめ設定された所定の上限温度（限界温度）を超える高温になったときは、冷風生成機能を期待できないことから、自動停止の禁止信号を出力して、エンジンを自動再始動させるようになっている。同様に、暖房中での上記動作継続中に、後席用ヒータコア１０Ｒの温度があらかじめ設定された所定の下限温度（限界温度）を超える低温になったときは、温風生成機能を期待できないことから、自動停止の禁止信号を出力して、エンジンを自動再始動させるようになっている。なお、実施形態では、前席用エバポレータ５あるいは前席用ヒータコア１０の温度に基づくエンジン自動再始動は行わないようにしてある。
【００５８】
次に、アイドルストップによるエンジン自動停止中における空調制御の点について説明する。まず、図１１のタイムチャートを参照しつつ、暖房時での空調制御について説明する。
【００５９】
まず、図１１のｔ１時点よりも前の時点では、前後の空調用コントローラＵＫ、ＵＫＲ側ではアイドルストップ許可判定されているが、例えば車速が０にならない走行中であるとして、エンジン自動停止が行われていない状態である。ｔ１時点になると、車速が０になる等により、アイドルストップ実行条件が成立し、かつ禁止条件が成立していないとして、エンジンが自動停止される。
【００６０】
エンジンが自動停止されたときは、後席用ブロア４Ｒの風量が、下限値の一定風量に低下される。この下限値も風量は、後席乗員の快適性が確保される（快適性を阻害しない）範囲でもって、極力小さく設定され、これにより、エンジン自動停止の時間が長く確保されるようになっている。
【００６１】
一方、エンジン自動停止における前席用ブロア４の風量は、前席用ヒータコア１０の温度と後席用ヒータコア１０Ｒの温度とが略同一温度でもって変化するように、協調制御される。この協調制御は、具体的には、次のようなフィードバック制御により行うようにしてある。すなわち、温度センサＳ０により検出される前席用熱交換器１０の温度が、温度センサＳ０Ｒにより検出される後席用熱交換器１０Ｒの温度と等しくなるように、前席用ブロア４の風量がフィードバック制御される。
【００６２】
後席用ヒータコア１０Ｒは、熱容量が小さいため、同じ風量であれば、前席用ヒータコア１０の温度よりも早期に温度低下されてしまうことになる。つまり、上記フィードバック制御により、前席用ヒータコア１０の温度と後席用ヒータコア１０Ｒの温度とが略等しくなるように制御されるということは、前席用ブロア４の風量が、後席用ブロア４Ｒの風量よりも大きくされることになる。
【００６３】
上記協調制御（フィードバック制御）が継続されると、やがて、後席用ヒータコア１０Ｒの温度が、空調制御には適しない温度との境界温度となる限界温度（例えば４５℃）にまで低下され、この限界温度に達した時点がｔ２時点となる。ｔ２時点では、エンジン自動再始動が行われることになり、これに応じて、前後の各ブロア４、４Ｒの風量も、通常の空調制御のときの風量に復帰される。なお、実施形態では、前席用ヒータコア１０の温度に基づいては、エンジン自動再始動を行わないようにされている。
【００６４】
上述したエンジン自動停止中の空調制御にあっては、後席用ブロア４Ｒの風量が下限値まで低下され、また前席用ブロア４の風量もエンジン自動停止直前の風量よりも低下されるので、ブロア作動による騒音が十分に防止あるいは抑制されることになり、また消費電力も十分に低減されることになる。また、熱容量が小さい後席用ヒータコア１０Ｒは、後席用ブロア４Ｒの風量が後席乗員の快適性が確保される範囲での下限値にまで低下されているので、エンジン自動再始動されるまで大きく温度低下されるまでの時間、つまりエンジン自動停止している時間が十分に長く確保されることになる。後席用ブロア４Ｒの風量の低下は、快適性が確保される範囲で行われるので、後席乗員の快適性も十分に確保されることになる。
【００６５】
図１２は、エンジン自動停止中における冷房時での制御例を示すものであり、図１１の制御例に対応している。冷房時にあっては、後席用ヒータコア１０Ｒに代えて、後席用エバポレータ５Ｒの温度に応じてエンジン自動再始動が行われるようになっている。具体的には、後席席用エバポレータ５Ｒの温度が上限温度（限界温度で、例えば１５℃））を超える高温となったときに、エンジン自動再始動するようにしてある（エンジン自動再始動に際して、前席用のエバポレータ５の温度に依存しない）。
【００６６】
図１２において、ｔ１１時点は図１１のｔ１時点に対応し、ｔ１２時点は図１１のｔ２時点に対応している。冷房時にあっては、前席用エバポレータ５の温度が、後席用エバポレータ５Ｒの温度と略同じ温度でもって変化するように、前席用ブロア４がフィードバック制御される。すなわち、温度センサＳ４により検出される前席用エバポレータ５の温度が、温度センサＳ４Ｒにより検出される後席用エバポレータ５Ｒの温度と等しくなるように、前席用ブロア４の風量がフィードバック制御される。
【００６７】
次に、図１３のフローチャートを参照しつつ、前述した図１１、図１２に示すような制御を行うための制御例について説明する。なお、以下の説明でＱはステップを示す。
【００６８】
まず、Ｑ１においてデータ入力された後、Ｑ２において、現在アイドルストップによってエンジンが自動停止されているか否かが判別される。このＱ２の判別でＮＯのときは、Ｑ３に移行して、通常の空調制御（ブロア風量の通常制御）が実行される。
【００６９】
Ｑ２の判別でＹＥＳのときは、Ｑ４において、後席乗員が１名以上存在するか否かが判別される。このＱ４の判別でＮＯのときは、後席への空調制御が不用なときであるとして、Ｑ３に移行され（後席用空調装置ＫＲでの空調制御が休止される）、この後リターンされる。
【００７０】
Ｑ４の判別でＹＥＳのときは、Ｑ５において、前述したフィードバック制御を行うために、前後の各熱交換器（前席用エバポレータ５あるいはヒータコア１０、後席用エバポレータ５Ｒあるいはヒータコア１０Ｒ）の温度が検出される。この後、Ｑ６において、前述したフィードバック制御が実行される。
【００７１】
Ｑ６の後は、Ｑ７において、後席用熱交換器（５Ｒあるいは１０Ｒ）の温度状態に応じて、エンジン自動再始動するときであるか否かが判定されて（図１１のｔ２時点、図１２のｔ１２時点になったか否かの判定）、自動再始動するときであると判定されたときは、エンジン自動再始動が行われる。なお、図１３では、暖房時と冷房時とをまとめて示した形態としてあるが、実際には、暖房時には、Ｑ５では前後のヒータコアヒータコア１０、１０Ｒの温度が検出されて、Ｑ６ではヒータコア１０、１Ｒの温度が略等しくなるようにフィードバック制御される。同様に、冷房時には、Ｑ５では前後のエバポレータ５、５Ｒの温度が検出されて、Ｑ６ではエバポレータ５、５Ｒの温度が略等しくなるようにフィードバック制御される。
【００７２】
以上実施形態について説明したが、本発明は、実施形態に限定されるものではなく、特許請求の範囲の記載された範囲において適宜の変更が可能であり、例えば次のような場合をも含むものである。後席用ブロア４Ｒの風量を、例えば時間の経過（後席用熱交換器５Ｒあるいは１０Ｒの温度変化）に応じて変化させてもよい。前席用ブロア４の風量が、エンジン自動停止直前の風量と同じ風量とされる場合であってもよい。エンジン自動再始動の条件として、前席用熱交換器（エバポレータ５あるいはヒータコア１０）の温度が限界温度を超えた時点として設定することもでき、また前後いずれか一方の熱交換器の温度が限界温度を超えたときとして設定することもできる。第２列目のシートＳＴ２への着座可能人数が例えば２名で、第３列目シートＳＴ３への着座可能人数が３名であってもよい。シートは、前後２列のシートであってもよい（第３列目シートなし）。後席用空調装置ＫＲは、その吹出口（特に冷風吹出口）をルーフ付近の高所に設けたものであってもよい。勿論、本発明の目的は、明記されたものに限らず、実質的に好ましいあるいは利点として表現されたものを提供することをも暗黙的に含むものである。
【産業上の利用可能性】
【００７３】
本発明は、後席へ着座可能な乗員数が多くなる車両用として好適である。
【符号の説明】
【００７４】
ＵＫ：コントローラ
ＵＫＲ：コントローラ（後席用）
ＥＧ：エンジン
Ｋ：空調システム
ＫＲ：空調システム（後席用）
ＪＳ：乗員センサ
Ｓ０：温度センサ（前席用ヒータコア温度検出用）
Ｓ０Ｒ：温度センサ（後席用ヒータコア温度検出用）
Ｓ４：温度センサ（前席用エバポレータ温度検出用）
Ｓ４Ｒ：温度センサ（後席用エバポレータ温度検出用）
４：ブロアファン
４Ｒ：ブロアファン（後席用）
５：エバポレータ
５Ｒ：エバポレータ（後席用）
１０：ヒータコア
１０Ｒ：ヒータコア（後席用）
５０：コンプレッサ
５５：コンデンサ
６０：ウオータポンプ
【図１】
2016068732.tif 000003
【図２】
2016068732.tif 000004
【図３】
2016068732.tif 000005
【図４】
2016068732.tif 000006
【図５】
2016068732.tif 000007
【図６】
2016068732.tif 000008
【図７】
2016068732.tif 000009
【図８】
2016068732.tif 000010
【図９】
2016068732.tif 000011
【図１０】
2016068732.tif 000012
【図１１】
2016068732.tif 000013
【図１２】
2016068732.tif 000014
【図１３】
2016068732.tif 000015